(57)【要約】【課題】  開閉部材の開閉動作が遊技領域を流下する遊技球の流下軌道を阻害しない弾球遊技機を提供する。【解決手段】  弾球遊技機ＰＭは、第１始動口１３ａに入球したことに基づき抽選を行う抽選手段、抽選結果を表示する表示装置１２、抽選結果が当選である際に開放される第１大入賞口１６ａを有して電気的な第１の抽選を行う機能と、第２始動口１４ａに入球した際に開閉部材１３１を開いて第２大入賞口１２２を開放する開閉装置１３０、第２大入賞口１２２を通過した遊技球を特別入賞位置１５６又は通常入賞位置１５３に振り分ける振り分け装置１５０を有して機械的な第２の抽選を行う機能とを備えている。この開閉部材１３１を、第１始動口１３ａ及び第２始動口１４ａよりも上方側に配置すると共に、開閉部材１３１の開閉動作が遊技領域ＰＡを流下する遊技球の流下軌道を阻害しないように構成する。【選択図】      図１
2006296592.tif 000002
【特許請求の範囲】
【請求項１】
第１始動口と、前記第１始動口に入球したことに基づき抽選を行う抽選手段と、前記抽選手段の抽選結果を表示する表示装置と、前記抽選手段の抽選結果が当選である際に開放される第１大入賞口と、を有して電気的な抽選の遊技を行い得る第１遊技機能と、
第２始動口と、前記第２始動口に入球した際に開閉部材を開いて第２大入賞口を開放する開閉装置と、前記開閉部材が開放した際に前記第２大入賞口を通過した遊技球を特別入賞位置又は通常入賞位置に振り分ける振り分け装置と、を有し、前記特別入賞位置に入球した際に遊技者に有利な状態に移行するような、機械的な抽選の遊技を行い得る第２遊技機能と、を備えた弾球遊技機において、
前記開閉部材を、遊技領域内にて前記第１始動口及び前記第２始動口よりも上方側に配置し、
前記開閉装置を、前記遊技領域を流下する遊技球の流下軌道を阻害しないように該開閉部材を開閉動作するように構成した、
ことを特徴とする弾球遊技機。
【請求項２】
前記第１始動口及び前記第２始動口を、前記表示装置の下方側に配置し、
前記開閉部材を、前記表示装置の上方側に配置した、
ことを特徴とする請求項１記載の弾球遊技機。
【請求項３】
前記開閉部材は、閉じている際の外壁に沿ってスライド駆動することで開閉動作する、
ことを特徴とする請求項１または２記載の弾球遊技機。
【請求項４】
前記開閉部材は、遊技球が前記第２大入賞口を通過する方向に向けて回動駆動することで開閉動作する、
ことを特徴とする請求項１または２記載の弾球遊技機。
【発明の詳細な説明】
【技術分野】
【０００１】
本発明は、例えばパチンコ機等の弾球遊技機に係り、詳しくは第２大入賞口の開閉動作が遊技球の流下軌道を阻害することのないように構成した弾球遊技機に関する。
【背景技術】
【０００２】
弾球遊技機には、第１種パチンコ遊技機や、第２種パチンコ遊技機と称されるものがあり、従来から広く親しまれている。第１種パチンコ遊技機は、所定の遊技領域が設けられた遊技盤と、遊技領域に設けられて遊技球が通過可能な始動口と、始動口を遊技球が通過すると所定の抽選（電気的な抽選）を行う抽選手段と、抽選手段による抽選の結果に基づいて図柄を変動表示可能な図柄表示装置とを備えて構成される。そして、図柄表示装置に停止表示された図柄が予め定められた当たり図柄であるときに、遊技領域の下部に設けられた大入賞装置により大入賞口を開放して遊技球の入賞を容易にすることで、遊技者に通常遊技よりも有利な特別遊技を行わせるようになっている（例えば特許文献１参照）。
【０００３】
第２種パチンコ遊技機は、所定の遊技領域が設けられた遊技盤と、遊技領域に設けられて遊技球が通過可能な始動口と、遊技領域に設けられて側部に形成された大入賞口を通じて遊技球が内部に入球可能な役物と、役物の側部に設けられて大入賞口を開閉可能な開閉部材（いわゆる羽根）とを有して構成される。そして、始動口を遊技球が通過することで開閉部材が大入賞口を開放し、羽根部材に拾われて大入賞口を通過（入賞）した遊技球が役物の外部に排出するための排出口、又はＶゾーンと称される入賞口に振り分けられ（機械的な抽選）、該Ｖゾーンに飛び込むと、開閉部材が大入賞口を比較的長い時間開放して遊技球の入賞を容易にすることで、遊技者に特別遊技を行わせるようになっている（例えば特許文献２参照）。
【０００４】
【特許文献１】特開２００３−２３６２１０号公報
【特許文献２】特開２００４−８９２１８号公報
【発明の開示】
【発明が解決しようとする課題】
【０００５】
ところで、上述のように第１種パチンコ遊技機では電気的な抽選の遊技を行うことができ、第２種パチンコ遊技機では機械的な抽選の遊技を行うことができるものであるが、これら双方の遊技を同一のパチンコ遊技機で行うことができれば遊技性に富むものとなる。そこで本出願人は、双方の機能を兼ね備えたパチンコ遊技機を案出している。
【０００６】
しかしながら、遊技者は、例えばハンドルにより打出し強さを調節しつつ第１種パチンコ遊技機としての始動口や第２種パチンコ遊技機としての始動口に遊技球が入球するように狙うことになるが、第２種パチンコ遊技機としての開閉部材が開いた際に、遊技球の流下軌道（落下軌道）に影響を与えてしまうと、遊技球が狙った始動口に向けて流下せず、無駄に遊技球を消費してしまうという問題がある。
【０００７】
そこで本発明は、開閉部材の開閉動作が遊技領域を流下する遊技球の流下軌道を阻害しないように構成し、もって上記課題を解決した弾球遊技機を提供することを目的とするものである。
【課題を解決するための手段】
【０００８】
請求項１に係る本発明は（例えば図１乃至図７参照）、第１始動口（１３ａ）と、前記第１始動口（１３ａ）に入球したことに基づき抽選を行う抽選手段（２１２）と、前記抽選手段（２１２）の抽選結果を表示する表示装置（１２）と、前記抽選手段（２１２）の抽選結果が当選である際に開放される第１大入賞口（１６ａ）と、を有して電気的な抽選の遊技を行い得る第１遊技機能と、
第２始動口（１４ａ）と、前記第２始動口（１４ａ）に入球した際に開閉部材（１３１，３３１）を開いて第２大入賞口（１２２，３２２）を開放する開閉装置（１３０，３３０）と、前記開閉部材（１３１，３３１）が開放した際に前記第２大入賞口（１２２，３２２）を通過した遊技球を特別入賞位置（１５６，３５６）又は通常入賞位置（１５３，３６３）に振り分ける振り分け装置（１５０，３５０）と、を有し、前記特別入賞位置（１５６，３５６）に入球した際に遊技者に有利な状態に移行するような、機械的な抽選の遊技を行い得る第２遊技機能と、を備えた弾球遊技機（ＰＭ）において、
前記開閉部材（１３１，３３１）を、遊技領域（ＰＡ）内にて前記第１始動口（１３ａ）及び前記第２始動口（１４ａ）よりも上方側に配置し、
前記開閉装置（１３０，３３０）を、前記遊技領域（ＰＡ）を流下する遊技球の流下軌道を阻害しないように該開閉部材（１３１，３３１）を開閉動作するように構成した、
ことを特徴とする弾球遊技機（ＰＭ）にある。
【０００９】
請求項２に係る本発明は（例えば図１参照）、前記第１始動口（１３ａ）及び前記第２始動口（１４ａ）を、前記表示装置（１２）の下方側に配置し、
前記開閉部材（１３１，３３１）を、前記表示装置（１２）の上方側に配置した、
ことを特徴とする請求項１記載の弾球遊技機（ＰＭ）にある。
【００１０】
請求項３に係る本発明は（例えば図４及び図５参照）、前記開閉部材（１３１）は、閉じている際の外壁（１３１ａ）に沿ってスライド駆動することで開閉動作する、
ことを特徴とする請求項１または２記載の弾球遊技機（ＰＭ）にある。
【００１１】
請求項４に係る本発明は（例えば図６及び図７参照）、前記開閉部材（３３１）は、遊技球が前記第２大入賞口（３２２）を通過する方向に向けて回動駆動することで開閉動作する、
ことを特徴とする請求項１または２記載の弾球遊技機（ＰＭ）にある。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、開閉装置を、遊技領域を流下する遊技球の流下軌道を阻害しないように該開閉部材を開閉動作するように構成したので、第１始動口や第２始動口を狙って打ち出された遊技球の流下軌道の近傍に第２大入賞口を配置して、開閉部材が開いた際に遊技球が入球し易くすることを可能とするものでありながら、遊技球の流下軌道に影響を与えることを防ぐことができ、無駄に遊技球を消費することの防止を図ることができる。
【００１４】
請求項２に係る本発明によると、第１始動口及び第２始動口を表示装置の下方側に配置し、開閉部材を表示装置の上方側に配置したので、例えば開閉部材が開いた際に遊技球の流下軌道を阻害すると、該遊技球の流下軌道に与える影響が大きいが、開閉部材が開いた際に遊技球の流下軌道を阻害しないため、遊技球の流下軌道に影響を与えることを防ぐことができ、無駄に遊技球を消費することの防止を図ることができる。
【００１５】
請求項３に係る本発明によると、開閉部材は、閉じている際の外壁に沿ってスライド駆動することで開閉動作するので、開閉部材が開いた際に遊技球の流下軌道を阻害しないようにすることができる。
【００１６】
請求項４に係る本発明によると、開閉部材は、遊技球が第２大入賞口を通過する方向に向けて回動駆動することで開閉動作するので、開閉部材が開いた際に遊技球の流下軌道を阻害しないようにすることができる。
【発明を実施するための最良の形態】
【００１７】
＜第１の実施の形態＞
以下、本発明の好ましい第１の実施の形態について図面を参照しながら説明する。本発明に係る弾球遊技機の代表例としてパチンコ機（パチンコ遊技機）ＰＭを図１及び図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１８】
パチンコ機ＰＭは、図１に示すように、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１９】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。
【００２０】
遊技盤１０の遊技領域ＰＡには、図示しない遊技釘が多数配設され、遊技領域ＰＡの中央部近傍には、特別図柄表示装置１１や図柄表示装置（表示装置）１２が取り付けられたセンター役物１００が配設される。また、遊技領域ＰＡの下部には、通過始動口（第１始動口）１３ａを有する始動入賞装置１３が設けられ、遊技球が通過始動口１３ａを通過すると、始動入賞装置１３内に設けられた入賞検出センサ２３（図３を参照）に検出されて遊技盤１０の裏面側へ排出されるようになっている。
【００２１】
さらに、始動入賞装置１３の下方には、開放始動口（第２始動口）１４ａを有する普通電動役物１４が設けられ、遊技球が開放始動口１４ａを通過すると、普通電動役物１４内に設けられた入賞検出センサ２４（図３を参照）に検出されて遊技盤１０の裏面側へ排出されるようになっている。普通電動役物１４は、始動入賞装置１３の下方に隣接して設けられた開閉型入賞装置であり、普通電動役物１４が閉鎖状態にあるときには、入口部分が始動入賞装置１３に塞がれて遊技球は普通電動役物１４に入賞できず、普通電動役物１４が開放状態にあるときに、遊技球が普通電動役物１４に入賞できるようになっている。
【００２２】
また、普通電動役物１４の左方には遊技球が通過可能な普通図柄作動ゲート１５が設けられ、普通電動役物１４の下方には第１大入賞口１６ａを開閉可能な第１大入賞装置１６が設けられる。第１大入賞装置１６は、特別遊技中に第１大入賞口ソレノイド２６（図３を参照）を用いて第１大入賞口１６ａを開放し、遊技球を第１大入賞口１６ａに対し通過容易にする。第１大入賞口１６ａは、遊技領域ＰＡの下部に設けられた横長方形状の入賞口であり、第１大入賞口１６ａが閉鎖状態にあるときには、遊技球は第１大入賞口１６ａを通過することができず、第１大入賞口１６ａが開放状態になったときに、遊技球が第１大入賞口１６ａを通過することができる。遊技球が第１大入賞口１６ａを通過すると、第１大入賞装置１６内に設けられた入賞検出センサ２７（図３を参照）に検出されて遊技盤１０の裏面側へ排出されるようになっている。
【００２３】
また、遊技領域ＰＡの左下部には、普通図柄作動ゲート１５での遊技球の通過を契機として行われる抽選の結果に基づいて普通図柄を変動表示する普通図柄表示装置１７が設けられる。さらに、遊技領域ＰＡの左右下部には、普通入賞口１８ａを有する複数の普通入賞装置１８が設けられ、遊技球が普通入賞口１８ａを通過すると、普通入賞装置１８内に設けられた入賞検出センサ（図示せず）に検出されて遊技盤１０の裏面側へ排出されるようになっている。また、遊技領域ＰＡの下端には、各入賞装置に入賞せずに流下した遊技球を遊技盤１０の裏面側へ排出させるアウト口１９が設けられている。
【００２４】
前枠２の裏面側には、図２に示すように、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板４０や主基板５０等の各種制御基板および電子部品等が取り付けられ、これらの各機器および遊技盤１０の裏面に取り付けられたサブ制御基板６０が図示省略するワイヤーハーネスで接続されている。
【００２５】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００２６】
次に、センター役物１００について図４を追加参照しながら説明する。図４はセンター役物１００の正面図である。
【００２７】
センター役物１００は、樹脂材料を用いて射出成形等により一体的に形成された種々の構成部品からなり、遊技盤１０の中央前面側に取り付けられる。詳細には、センター役物１００の外周上方側の右側部分から右方側にかけて、遊技領域ＰＡの外縁に沿って右方側部材１０１が配置され、外周上方側の左側部分には左方側部材１０２が配置され、外周左方側から下方側にかけては、下方側部材１８１が配置され、これら３つの部材１０１，１０２，１８１により、詳しくは後述する第２大入賞装置１２０が配置される空間と、図柄表示装置１２の表示面１２ａを視認可能にすると共に下方側にステージ１８０を形成する空間とを確保している。
【００２８】
下方側部材１８１における図柄表示装置１２の左方側部分には、入球した遊技球を不図示の通路（いわゆるワープ通路）を介してステージ１８０上に導く導入口１８２が設けられている。ステージ１８０は、図柄表示装置１２の手前側の左右両端から中央に向けて下方へ傾斜するように形成され、その中央部は前方へ向かうにつれて下方へ傾斜するように形成されている。そして、導入口１８２を通過してステージ１８０上に入球した遊技球は、該ステージ１８０の上を一時的に停留するように左右へ転がり移動し、中央部から遊技領域ＰＡの下部に設けられた始動入賞装置１３へ向けて流下するようになっている。
【００２９】
センター役物１００の中央後部には、図示しない透明板を介して図柄表示装置１２が取り付けられており、図柄表示装置１２の前面に設けられた表示面１２ａが空間ないしガラス扉５等を通じて外部から視認可能に構成されている。また、センター役物１００の左側上部の前面側には、特別図柄表示装置１１が取り付けられている。
【００３０】
特別図柄表示装置１１は、例えば発光ダイオード等から構成され、後述する第１抽選手段２１２による抽選（以下、第１の抽選と称する）の結果に基づいて特別図柄（図示せず）を変動表示する。図柄表示装置１２は、液晶ディスプレイ等から構成され、特別図柄表示装置１１と連動して装飾図柄（図示せず）を表示面１２ａに変動表示する。特別図柄は、始動入賞装置１３（通過始動口１３ａ）への遊技球の入賞を契機として行われる第１の抽選の結果に基づいて表示される図柄であり、大当たりを発生させるか否かを示す役割を持つ。また、装飾図柄は、特別図柄で示される第１の抽選の結果表示を視覚的に演出するための図柄であり、例えば、スロットマシンの図柄表示を模した複数列の変動図柄として表示面１２ａの中央領域に表示される。
【００３１】
なお、本実施形態における特別図柄（図示せず）は、演出的な役割を持たず、特別図柄表示装置１１により演出図柄と比較して目立たない大きさで表示されるが、これに限られるものではなく、演出図柄を用いずに特別図柄に演出的な役割を持たせ、この特別図柄を図柄表示装置１２のような表示装置に表示させるようにしてもよい。また、図柄表示装置１２は、液晶ディスプレイに限らず、回転式ドラムや発光ダイオード等を用いた表示手段を有して構成されてもよい。
【００３２】
センター役物１００における図柄表示装置１２の上側から左側にかけては、第２大入賞装置１２０が配設されている。第２大入賞装置１２０は、開閉装置１３０と、ガイド部材１６０と、螺旋ガイド部材１７０と、振り分け装置１５０とを主体に構成されている。詳しくは後述する開閉装置１３０は、開閉部材１３１を開閉動作させることにより、上記右方側部材１０１の端部と左方側部材１０２の端部との間に形成される第２大入賞口１２２を開放し得るように構成されている。なお、第２大入賞口１２２の近傍には、該第２大入賞口１２２を通過して第２大入賞装置１２０の内部に達した遊技球を検出する入賞検出センサ１２３が設けられている。
【００３３】
ガイド部材１６０は、第２大入賞口１２２より螺旋ガイド部材１７０の上方まで、概ね右下がりに傾斜された通路１６０ａを有しており、第２大入賞口１２２に入球（入賞）した遊技球を該通路１６０ａに沿って右方側の螺旋ガイド部材１７０までガイド（案内）する。螺旋ガイド部材１７０は、上記ガイド部材１６０の通路１６０ａに接続され、振り分け装置１５０の上部まで螺旋状に形成された螺旋通路１７０ａを有しており、該通路１６０ａによりガイドされてきた遊技球を螺旋通路１７０ａに沿って螺旋状に回転させつつ振り分け装置１５０までガイド（案内）する。
【００３４】
振り分け装置１５０は、不図示のモータの駆動により軸１５２を中心に常時回転する円板状の回転体１５１を有しており、該回転体１５１には、例えば周方向の均等位置４箇所に、外周面から中心に向けた放射方向へ穿設された普通入賞口（普通入賞位置）１５３，１５３，１５３と特別入賞口（特別入賞位置）（いわゆるＶゾーン）１５６とが備えられている。つまり、上記螺旋ガイド部材１７０にガイドされてきた遊技球が、そのタイミングによって、常時回転する回転体１５１の普通入賞口１５３，１５３，１５３、又は特別入賞口１５６に振り分けられ、機械的な抽選（以下、第２の抽選と称する）がなされる。
【００３５】
上記各普通入賞口１５３は、特別入賞口１５６よりも浅い穴状に形成されており、反対に特別入賞口１５６は、普通入賞口１５３よりも深い穴状に形成されている。また、各普通入賞口１５３及び特別入賞口１５６は、穴の底部分が僅かに後側（遊技盤１０側）に傾斜されている。一方、遊技盤１０の回転体１５１と前後方向に重なる位置においては、該回転体１５１の中心より長い距離（外周側）の位置と短い距離（内周側）の位置との２箇所に不図示の排出口が設けられている。
【００３６】
即ち、中心より長い距離の位置の排出口は、回転体１５１が所定位置まで来ると、上記穴の深さが浅い普通入賞口１５３の底部分に連通し、普通入賞口１５３に遊技球が入球している際は、その遊技球を遊技盤１０の裏面側に排出する。また、中心より短い距離の位置の排出口は、回転体１５１が所定位置まで来ると、上記穴の深さが深い特別入賞口１５６の底部分に連通して、特別入賞口１５６に遊技球が入球している際は、その遊技球を遊技盤１０の裏面側に排出する。この中心より短い距離の位置の排出口、つまり特別入賞口１５６に連通する排出口には、図４中では図示を省略したＶ入賞センサ１５９が設けられている。
【００３７】
なお、上記普通入賞口１５３や特別入賞口１５６の前面側には、透明ないし半透明に形成されたり、或いは透明ないし半透明の板状部材が配置されたりして、つまり遊技球が入球した際にその遊技球が視認し得るように構成されている。
【００３８】
続いて、本発明の要部である開閉装置１３０について図４及び図５を参照して説明する。図５は、第１の実施の形態に係る開閉装置の開閉動作を示す説明図で、（ａ）は閉じた状態を示す図、（ｂ）は開いた状態を示す図である。
【００３９】
図４及び図５に示すように、開閉装置１３０は、開閉部材１３１と、不図示のリンク機構を介して該開閉部材１３１の開閉動作を行う第２大入賞口ソレノイド１３２（図３参照）と、上記ガイド部材１６０の通路１６０ａ及び開閉部材１３１の前面側に位置する前面板１３５と、入球した遊技球をガイドするガイド部１３６とを備えて構成されている。
【００４０】
開閉部材１３１は、僅かに湾曲した外壁１３１ａと、入球した遊技球を保持する保持面１３１ｂと、スライド面１３１ｃとを有しており、後側が第２大入賞口ソレノイド１３２にリンクしたリンク機構に接続されている。また、前面板１３５の後側には、図５に示すように、ガイド部１３６が設けられており、該ガイド部１３６は、上記スライド面１３１ｃと摺動する摺動面１３６ａと、上記ガイド部材１６０の通路１６０ａと同一面に形成されて接続されるガイド面１３６ｂとを有するように形成されている。
【００４１】
該開閉部材１３１は、例えば不図示のバネ等に付勢されて、第２大入賞口ソレノイド１３２のオフ作動時に図４及び図５（ａ）に示すような閉じた状態となり、この閉じた状態においては、外壁１３１ａが右方側部材１０１と左方側部材１０２との間を塞いだ形となって、つまり第２大入賞口１２２が閉塞状態となる。
【００４２】
一方、第２大入賞口ソレノイド１３２のオン作動時には、図５（ｂ）に示すように、不図示のバネ等の付勢に反して、矢印Ｂ方向へ外壁１３１ａに沿ってスライド駆動される。この状態となると、右方側部材１０１と左方側部材１０２との間を開いた形となって、つまり第２大入賞口１２２が開放状態となる。第２大入賞口１２２が開放されると（開閉部材１３１が開くと）、遊技球が入球し得る状態となる。
【００４３】
例えば遊技球が第２大入賞口１２２に入球した際、その遊技球は、開閉部材１３１の保持面１３１ｂに導かれ、又は勢いよく入球した場合は直接ガイド面１３６ｂ上に導かれる。その後、第２大入賞口ソレノイド１３２のオフ作動となって、開閉部材１３１が矢印Ａ方向へ外壁１３１ａに沿ってスライド駆動し、該開閉部材１３１を閉じると（即ち第２大入賞口１２２を閉塞すると）、保持面１３１ｂとガイド面１３６ｂとが滑らかに接続された状態となって、保持面１３１ｂに遊技球が保持されている場合は、その遊技球がガイド面１３６ｂ上に導かれる。ガイド面１３６ｂ上に導かれた遊技球は、図４に示すように、上述のガイド部材１６０の通路１６０ａ、螺旋ガイド部材１７０の螺旋通路１７０ａを介して振り分け装置１５０まで導かれる。
【００４４】
このように開閉部材１３１は、外壁１３１ａに沿ってスライド駆動されることで開閉動作するので、外壁１３１ａ（第２大入賞口１２２）より外側（図中左側）に突出することがなく、遊技領域ＰＡを流下する遊技球、つまり第２大入賞口１２２に入球しなかった遊技球の流下軌道を阻害することがない。
【００４５】
続いて、パチンコ機ＰＭに構成される遊技制御装置２００について図３を参照しながら説明する。ここで、図３は遊技制御装置２００の概要を示すブロック図である。この遊技制御装置２００は、主基板５０や、サブ制御基板６０等から構成される（図３では不図示）。遊技制御装置２００には、始動入賞装置１３、普通図柄作動ゲート１５、普通電動役物１４、第１大入賞装置１６、第２大入賞装置１２０、第２抽選手段１５０のＶ入賞センサ１５９、特別図柄表示装置１１、装飾図柄表示装置１２、普通図柄表示装置１７等が電気的に接続されており、各種検出信号および制御信号の送受信が行われるようになっている。
【００４６】
また、遊技制御装置２００は、各入賞装置への入球（入賞）を判定する入球判定手段２１０と、始動入賞装置１３（通過始動口１３ａ）への遊技球の入賞に基づき特別図柄抽選（第１の抽選）を実行する第１抽選手段（抽選手段）２１２と、普通図柄作動ゲート１５での遊技球の通過に基づき普通図柄抽選を実行する第３抽選手段２１４と、特別図柄、装飾図柄、普通図柄の変動表示パターンを保持するパターン記憶手段２１６と、図柄変動における停止図柄および変動表示の表示パターンを決定する図柄決定手段２２０と、図柄等の表示を制御する表示制御手段２３０と、大当たり遊技等の通常遊技よりも遊技者に有利な特別遊技を制御する特別遊技制御手段２４０と、確率変動遊技等の通常遊技よりも遊技者に有利な特定遊技を制御する特定遊技制御手段２６０と、第１大入賞装置１６や第２大入賞装置１２０等の開閉制御を行う開閉制御手段２７０とを備えて構成される。
【００４７】
始動入賞装置１３の入賞検出センサ２３は、始動入賞装置１３への遊技球の入球（入賞）を検出し、第１始動入賞情報を出力する。入球判定手段２１０は、第１始動入賞情報を受信すると遊技球が通過始動口１３ａを通過して始動入賞装置１３に入球したことを判定する。始動入賞装置１３への入球が判定されると、第１抽選手段２１２は、保留球数が上限に達しているか否かを調べる。例えば、保留球数の上限は４つに設定されている。保留球数が上限に達していない場合、入球判定手段２１０が第１始動入賞情報を受信したタイミングで、第１抽選手段２１２は始動入賞に対する乱数を取得する。なお、第１抽選手段２１２は、数学的に乱数を生成して取得してもよく、また図示しないカウンタにより生成されるカウント値を乱数として取得してもよい。このようにして取得した乱数に基づいて、第１抽選手段２１２は特別図柄抽選（第１の抽選）の当否を判定する。なお、抽選の当否判定は、乱数の取得と同時に行われてもよく、また、特別図柄の変動を開始する直前に行われてもよく、所定の抽選ソフトウェアを利用して行われる。抽選乱数が当たりであった場合、第１抽選手段２１２は確率変動付きの当たりであるか否かを決定する。
【００４８】
図柄決定手段２２０における特別図柄決定手段２２２および装飾図柄決定手段２２４は、第１抽選手段２１２による判定結果に応じた停止図柄と、図柄変動の表示パターンとを決定する。停止図柄は、図柄変動の終了時に表示するべき図柄である。パターン記憶手段２１６は、特別図柄や装飾図柄を変動表示させるときの表示パターンとして複数種のパターンを保持する。表示パターンには、通常の外れ図柄を表示するときのパターンと、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。
【００４９】
特別図柄決定手段２２２は、第１抽選手段２１２による抽選結果に応じてパターン記憶手段２１６からいずれかのパターンを選択し、抽選結果に応じた特別図柄の停止図柄を決定する。装飾図柄決定手段２２４は、特別図柄決定手段２２２のより選択された表示パターンに応じたパターンをパターン記憶手段２１６から選択し、抽選結果に応じた特別図柄の停止図柄を決定する。
【００５０】
普通図柄作動ゲート１５には通過検出センサ２５が設けられており、普通図柄作動ゲート１５での遊技球の通過を検出し、第２始動入賞情報を出力するようになっている。入球判定手段２１０は、第２始動入賞情報を受信すると遊技球が普通図柄作動ゲート１５を通過したことを判定する。普通図柄作動ゲート１５の通過が判定されると、第３抽選手段２１４は、第１抽選手段２１２と同様に、保留球数が上限に達しているか否かを調べ、保留球数が上限に達していない場合、入球判定手段２１０が第２始動入賞情報を受信したタイミングで、始動入賞に対する乱数を取得する。このようにして取得した乱数に基づいて、第３抽選手段２１４は普通図柄抽選（第３の抽選）の当否を判定する。なお、抽選の当否判定は、乱数の取得と同時に行われてもよく、また、特別図柄の変動を開始する直前に行われてもよく、所定の抽選ソフトウェアを利用して行われる。
【００５１】
図柄決定手段２２０における普通図柄決定手段２２６は、第３抽選手段２１４による抽選結果に応じてパターン記憶手段２１６からいずれかのパターンを選択し、抽選結果に応じた普通図柄の停止図柄を決定する。普通図柄決定手段２２６により決定された停止図柄が特定の図柄であった場合、開閉制御手段２７０が普通電動役物１４を所定時間だけ拡開作動させる。
【００５２】
表示制御手段２３０は、特別図柄および装飾図柄を変動表示させる第１表示制御手段２３１と、普通図柄を変動表示させる第２表示制御手段２３２とを有して構成される。第１表示制御手段２３１は、特別図柄決定手段２２２において決定された変動パターンおよび停止図柄をもとに、特別図柄表示装置１１に特別図柄を表示させる。また同時に、第１表示制御手段２３１は、装飾図柄決定手段２２４において決定された変動パターンおよび停止図柄をもとに、装飾図柄表示装置１２に装飾図柄を表示させる。第１表示制御手段２３１により特別図柄を表示させる機能は主基板５０側の処理として実行され、装飾図柄を表示させる機能はサブ制御基板６０側の処理として実行される。第２表示制御手段２３２は、普通図柄決定手段２２６において決定された変動パターンおよび停止図柄をもとに、普通図柄表示装置１７に普通図柄を表示させる。
【００５３】
特別遊技制御手段２４０は、２種類の特別遊技を選択的に実行することができる。特別遊技制御手段２４０において、条件保持手段２４２は、２種類の特別遊技の作動条件を保持する。特別遊技実行手段２４８は、所定の作動条件が成立したことに基づいて特別遊技を実行する機能を有する。
【００５４】
条件保持手段２４２における第１条件保持手段２４３は、第１の特別遊技を実行するための条件である第１作動条件を保持している。本実施形態において第１作動条件は、第１表示制御手段２３１により変動表示される特別図柄が特別図柄表示装置１１において所定の図柄で停止されたことに設定される。また、第２条件保持手段２４４は、第２の特別遊技を実行するための条件である第２作動条件を保持している。本実施形態において第２作動条件は、普通電動役物１４に遊技球が入賞（入球）したことに設定される。
【００５５】
特別遊技制御手段２４０における条件判定手段２４６は、遊技情報を監視し、特別遊技への移行条件である第１作動条件または第２作動条件の成立の可否を判定する。また、条件判定手段２４６は、それぞれの作動条件の判定結果をもとに、各種作動フラグのオンまたはオフの設定を行う。
【００５６】
特別遊技実行手段２４８における第１特別遊技実行手段２４９は、第１作動条件が成立すると、第１の特別遊技を実行する。ここで、第１の特別遊技は、第１大入賞装置１６による第１大入賞口１６ａの開閉操作を複数回連続して継続する遊技であり、第１の特別遊技に移行すると、遊技者は特別遊技が行われていることを容易に認識することができるとともに、相当数の賞球を期待することができる。このとき、第１特別遊技実行手段２４９は、開閉制御手段２７０に第１大入賞口１６ａの開閉制御を行わせる。開閉制御手段２７０は、第１の特別遊技中、第１大入賞装置１６の第１大入賞口ソレノイド２６に開放作動信号（もしくは、閉鎖作動信号）を出力し、第１大入賞口１６ａを開放（もしくは、閉鎖）させる。
【００５７】
特別遊技実行手段２４８における第２特別遊技実行手段２５０は、第２作動条件が成立すると、第２の特別遊技を実行する。ここで、第２の特別遊技は、第１段階と第２段階の２段階に分けられる。第１段階では、第２特別遊技実行手段２５０は、開閉制御手段２７０に第２大入賞口１２２を所定時間だけ開放する制御を行わせる。このとき、開閉制御手段２７０は、開閉装置１３０の第２大入賞口ソレノイド１３２に開放作動信号を出力し、開閉部材１３１をスライド駆動させて第２大入賞口１２２を開放させる。さらに、第１段階において、第２抽選手段１５０のＶ入賞センサ１５９からＶ入賞情報を受信すると、第２段階に移行する。なお、Ｖ入賞情報は、Ｖ入賞センサ１５９が特別入賞口１５６の遊技球の通過を検出したときに、Ｖ入賞センサ１５９から出力される。
【００５８】
第２の特別遊技における第２段階は、第１大入賞装置１６による第１大入賞口１６ａの開閉操作を複数回連続して継続する段階（遊技者に有利な状態）であり、第２段階（遊技者に有利な状態）に移行すると、遊技者は、第１の特別遊技と同様に、相当数の賞球を期待することができる。このとき、第２特別遊技実行手段２５０は、開閉制御手段２７０に第１大入賞口１６ａの開閉制御を行わせる。開閉制御手段２７０は、第２段階の間、第１大入賞装置１６の第１大入賞口ソレノイド２６に開放作動信号（もしくは、閉鎖作動信号）を出力し、第１大入賞口１６ａを開放（もしくは、閉鎖）させる。
【００５９】
特別遊技制御手段２４０における作動回避手段２５２は、第１作動条件および第２作動条件のいずれか一方の作動条件が成立したとき、他方の作動条件の成立を回避させる機能を有する。本実施形態おいて、第２作動条件の成立は、第２の特別遊技の第１段階への移行条件が成立したことを示し、第１段階および第２段階を通して第２の特別遊技が続く限り第２作動条件が成立しているものとする。したがって、第２作動条件の成立中であって、第２の特別遊技における第１段階または第２段階が実行されている間は、第１作動条件の成立が回避される。一方、第１作動条件の成立中は、第２作動条件の成立が回避されるので、第２の特別遊技における第１段階および第２段階のいずれも実行されない。
【００６０】
特定遊技制御手段２６０は、特別遊技とは異なる遊技者に有利な特定遊技、例えば確率変動遊技の実行を制御する。本実施形態において、当たり抽選は、第１抽選手段２１２による特別図柄抽選（第１の抽選）と、第３抽選手段２１４による普通図柄抽選（第３の抽選）の２種類が存在しており、それぞれの図柄抽選に対して確率変動遊技が設定可能とされる。
【００６１】
特定遊技制御手段２６０における第１特定遊技実行手段２６２は、第１抽選手段２１２による抽選結果に基づいて、特別図柄の確率変動遊技を実行する。例えば、特別図柄の停止図柄が奇数であるときに、第１の特別遊技の終了後、特別図柄の確率変動遊技が実行される。なお、特別図柄の確率変動遊技における当たりの割合は、通常遊技のときよりも高く設定される。また、第２特定遊技実行手段２６４は、特別図柄の確率変動遊技が実行されたことを契機として、普通図柄の確率変動遊技を実行する。なお、普通図柄の確率変動遊技における当たりの割合は、通常遊技のときよりも高く設定される。
【００６２】
以上のように構成されるパチンコ機ＰＭにおいては、開閉装置１３０（開閉部材１３１）により第２大入賞口１２２が開放されたときに第２の抽選を行うことが可能となり、第１抽選手段２１２を用いた第１の遊技（抽選）と第２抽選手段としての振り分け装置１５０を用いた第２の遊技（抽選）とをそれぞれ独立して行うことができる。従って、２種類の遊技を効果的に組み合わせることが可能となり、それぞれの遊技によってもたらされるべき遊技性を十分に発揮させることができるため、遊技性を向上させることが可能になる。なお、第１の抽選が所定の抽選ソフトウェアを利用して行われ、第２の抽選が第２大入賞口１２２に入球した遊技球を利用して機械的に行われるため、異なる種類の抽選（遊技）を行うことが可能となり、遊技性をさらに向上させることができる。
【００６３】
そして、このように構成されるパチンコ機ＰＭは、図１に示すように、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００６４】
遊技球が通過始動口１３ａを通過して始動入賞装置１３に入賞すると、第１抽選手段２１２により所定の抽選ソフトウェアを利用した特別図柄抽選（第１の抽選）が行われ、特別図柄表示装置１１および図柄表示装置１２において特別図柄および装飾図柄が所定時間だけ変動表示される。変動停止時の特別図柄が大当たりを示す図柄である場合、第１の特別遊技に移行する。特別図柄が大当たりの図柄で停止するとき、図柄表示装置１２の表示面１２ａには、例えば、スロットマシンの図柄表示を模した装飾図柄が３つの図柄を一致させるような表示態様を有して表示される。
【００６５】
第１の特別遊技においては、第１大入賞装置１６の作動により第１大入賞口１６ａが開放される。そして、第１大入賞口１６ａが約３０秒間開放された後、または９球以上の遊技球が第１大入賞口１６ａを通過して第１大入賞装置１６に入賞した後、第１大入賞口１６ａが一旦閉鎖され、このような開閉動作が所定回数継続して繰り返される。
【００６６】
なお、遊技球がセンター役物１００の導通口１８２を通過してステージ１８０に入球した場合には、遊技球がステージ１８０の上を一時的に停留するように左右へ転がり移動し、ステージ１８０の中央部から始動入賞装置１３へ向けて流下する。これにより、始動入賞装置１３に入賞する期待感を向上させている。
【００６７】
さて、遊技球が普通図柄作動ゲート１５を通過すると、第３抽選手段２１４により所定の抽選ソフトウェアを利用した普通図柄抽選（第３の抽選）が行われ、普通図柄表示装置１７において普通図柄が所定時間だけ変動表示される。なお、普通図柄は、例えば、図柄表示装置１２における表示面１２ａの隅の方に（装飾図柄とは別に）変動表示させてもよく、他の表示装置において変動表示させるようにしてもよい。そして、変動停止時の普通図柄が所定の図柄（当たりを示す図柄）である場合、普通電動役物１４が所定時間だけ開放される。
【００６８】
開放された普通電動役物１４に遊技球が入賞（開放始動口１４ａを通過）すると、第２の特別遊技における第１段階に移行し、開閉装置１３０の作動により開閉部材１３１が開放され、第２大入賞口１２２が所定時間だけ開放状態となる。このようにして、第２の抽選に関連する遊技性を向上させている。
【００６９】
遊技球が第２大入賞口１２２を通過して第２大入賞装置１２０に入賞すると、振り分け装置１５０において遊技球を利用した機械的な第２の抽選が行われる。第２大入賞口１２２を通過した遊技球は、ガイド部材１６０の通路１６０ａを介して螺旋ガイド部材１７０の螺旋通路１７０ａに導かれた後、回転体１５１と共に特別入賞口１５６及び普通入賞口１５３が回転している振り分け装置１５０に導かれる。そして、この振り分け装置１５０に到達するタイミングによっては、特別入賞口１５６に入球する。遊技球が特別入賞口１５６に入球すると、第２の特別遊技における第２段階に移行し、第１の特別遊技と同様に、第１大入賞装置１６の作動による第１大入賞口１６ａの開閉動作が所定回数継続して繰り返される。
【００７０】
なおこのとき、螺旋通路１７０ａにより遊技球の流下速度が減速されるため、振り分け装置１５０の回転体１５１の回転位置、つまり特別入賞口１５６の回転位置と、遊技球の到達タイミングとを見比べて判断する時間的猶予が与えられるので、遊技性が高められる。
【００７１】
以上説明したように本発明の第１の実施の形態に係るパチンコ機ＰＭによると、開閉装置１３０を、開閉部材１３１が開いた際に第２大入賞口１２２に入球しない遊技球の流下軌道を阻害しないように該開閉部材１３１を開閉動作するように構成したので、第１始動口１３ａや第２始動口１４ａを狙って打ち出された遊技球の流下軌道の近傍に第２大入賞口１２２を配置して、開閉部材１３１が開いた際に遊技球が入球し易くすることを可能とするものでありながら、遊技球の流下軌道に影響を与えることを防ぐことができ、無駄に遊技球を消費することの防止を図ることができる。
【００７２】
また、第１始動口１３ａ及び第２始動口１４ａを図柄表示装置１２の下方側に配置し、開閉部材１３１を図柄表示装置１２の上方側に配置したので、例えば開閉部材１３１が開いた際に第２大入賞口１２２に入球しない遊技球の流下軌道を阻害すると、該遊技球の流下軌道に与える影響が大きいが、開閉部材１３１が開いた際に第２大入賞口１２２に入球しない遊技球の流下軌道を阻害しないため、遊技球の流下軌道に影響を与えることを防ぐことができ、無駄に遊技球を消費することの防止を図ることができる。
【００７３】
更に、開閉部材１３１は、閉じている際の外壁１３１ａに沿ってスライド駆動することで開閉動作するので、開閉部材１３１が開いた際に第２大入賞口１２２に入球しない遊技球の流下軌道を阻害しないようにする構成を可能とすることができる。
【００７４】
＜第２の実施の形態＞
ついで、上記第１の実施の形態を一部変更した第２の実施の形態について図６及び図７に沿って説明する。図６は第２の実施の形態に係るセンター役物の正面図、図７は第２の実施の形態に係る開閉装置の開閉動作を示す説明図で、（ａ）は閉じた状態を示す図、（ｂ）は開いた状態を示す図である。なお、本第２の実施の形態においては、上記第１の実施の形態と同様な部分に同符号を付し、その説明を省略する。
【００７５】
本第２の実施の形態に係るパチンコ機ＰＭは、第１の実施の形態のパチンコ機に比して、センター役物を変更し、また、開閉装置の構成を変更したものである。
【００７６】
図６に示すように、センター役物３００は、第１の実施の形態と若干形状の異なる、右方側部材３０１、左方側部材３０２、下方側部材３８１が、それぞれ上方側から右方側、上方左方側、左方側から下方側に配置されている。そして、これら３つの部材３０１，３０２，３８１により、第２大入賞装置３２０が配置される空間と、図柄表示装置１２の表示面１２ａを視認可能にすると共に下方側にステージ３８０を形成する空間とを確保している。
【００７７】
下方側部材３８１における図柄表示装置１２の左方側部分には、入球した遊技球を不図示の通路（いわゆるワープ通路）を介してステージ３８０上に導く導入口３８２が設けられている。ステージ３８０は、図柄表示装置１２の手前側の左右両端から中央に向けて下方へ傾斜するように形成され、その中央部は前方へ向かうにつれて下方へ傾斜するように形成されている。そして、導入口３８２を通過してステージ３８０上に入球した遊技球は、該ステージ３８０の上を一時的に停留するように左右へ転がり移動し、中央部から遊技領域ＰＡの下部に設けられた始動入賞装置１３へ向けて流下するようになっている。
【００７８】
センター役物３００の中央後部には、図示しない透明板を介して図柄表示装置１２が取り付けられており、図柄表示装置１２の前面に設けられた表示面１２ａが空間ないしガラス扉５等を通じて外部から視認可能に構成されている。なお、本実施の形態においては、特別図柄が図柄表示装置１２の隅に適宜な大きさで表示される。
【００７９】
センター役物３００における図柄表示装置１２の上側から左側にかけては、第２大入賞装置３２０が配設されている。第２大入賞装置３２０は、開閉装置３３０と、第１ガイド部材３３２と、第２ガイド部材３３３と、振り分け装置１５０とを主体に構成されている。開閉装置３３０は、開閉部材３３１を開閉動作させることにより、上記右方側部材３０１の端部と左方側部材３０２の端部との間に形成される第２大入賞口３２２を開放し得るように構成されている。
【００８０】
第１ガイド部材３３２は、図７に示すように、第２大入賞口３３２の近傍に配置された軸３３２ａを有しており、該軸３３２ａに固着されている。該軸３３２ａは、第２大入賞口ソレノイド１３２（図３参照）に不図示のリンク機構を介して接続されており、該第２大入賞口ソレノイド１３２のオン作動時に矢印Ｅ方向に回動駆動し、また、該第２大入賞口ソレノイド１３２のオフ作動時に矢印Ｄ方向に回動駆動する。
【００８１】
一方の第２ガイド部材３３３は、振り分け装置３５０の近傍に配置された軸３３３ａを有しており、該軸３３３ａに固着されている。該軸３３３ａも、第２大入賞口ソレノイド１３２（図３参照）に不図示のリンク機構を介して接続されており、該第２大入賞口ソレノイド１３２のオン作動時に矢印Ｇ方向に回動駆動し、また、該第２大入賞口ソレノイド１３２のオフ作動時に矢印Ｆ方向に回動駆動する。
【００８２】
そして、上記第１ガイド部材３３２の軸３３２ａ側（図中左方側）の上部には、開閉装置３３０としての開閉部材３３１が固着されている。つまり開閉部材３３１は、第１ガイド部材３３２と共に、該第２大入賞口ソレノイド１３２のオン作動時に矢印Ｅ方向に回動駆動して、第２大入賞口３２２を開放状態にし、また、該第２大入賞口ソレノイド１３２のオフ作動時に矢印Ｄ方向に回動駆動して、第２大入賞口３２２を閉塞状態にする。
【００８３】
このように開閉部材３３１は、遊技球が第２大入賞口３２２を通過する方向に向けて回動駆動することで開閉動作する（即ち第２大入賞口３２２の内側において開閉動作する）ので、第２大入賞口３２２より外側（図中左上方側）に突出することがなく、遊技領域ＰＡを流下する遊技球、つまり第２大入賞口３２２に入球しなかった遊技球の流下軌道を阻害することがない。
【００８４】
第１ガイド部材３３２と第２ガイド部材３３３とは、第２大入賞口ソレノイド１３２のオン作動時にそれぞれ回動駆動されると、図７（ｂ）に示すように、開閉部材３３１が開かれて第２大入賞口３２２が開放されると共に、該第２大入賞口３２２に入球した遊技球を振り分け装置３５０までガイド（案内）する通路３６０を図柄表示装置１２の前側において形成する。これにより、第２大入賞口３２２に入球した遊技球を振り分け装置３５０まで導くことができると共に、図柄表示装置１２を注視している遊技者の気を引くことができる。
【００８５】
また、第１ガイド部材３３２と第２ガイド部材３３３とは、第２大入賞口ソレノイド１３２のオフ作動時にそれぞれ回動駆動されると、図７（ａ）に示すように、開閉部材３３１を閉じて第２大入賞口３２２を閉塞すると共に、通路３６０を分断する形で、第１ガイド部材３３２が図柄表示装置１２の上辺に沿った位置に退避し、また、第２ガイド部材３３３が図柄表示装置１２の右辺に沿った位置に退避する。これにより、図柄表示装置１２の表示が邪魔されずに視認できるようになる。
【００８６】
一方、振り分け装置３５０は、不図示のモータの駆動により軸３５２を中心に常時回転する円板状の回転体３５１を有しており、該回転体３５１には、例えば周方向の均等位置４箇所に、外周面から中心に向けた放射方向へ穿設された普通入賞口（普通入賞位置）３５３，３５３，３５３と特別入賞口（特別入賞位置）（Ｖゾーン）３５６とが備えられている。つまり、上記通路３６０にガイドされてきた遊技球が、そのタイミングによって、常時回転する回転体３５１の普通入賞口３５３，３５３，３５３、又は特別入賞口３５６に振り分けられ、機械的な抽選（第２の抽選）がなされる。なお、振り分け装置３５０は、第１の実施の形態と略々同様な構成であるので、その詳細説明は省略する。
【００８７】
以上説明したように本発明の第２の実施の形態に係るパチンコ機ＰＭによると、開閉装置３３０を、開閉部材３３１が開いた際に第２大入賞口３２２に入球しない遊技球の流下軌道を阻害しないように該開閉部材３３１を開閉動作するように構成したので、第１始動口１３ａや第２始動口１４ａを狙って打ち出された遊技球の流下軌道の近傍に第２大入賞口３２２を配置して、開閉部材３３１が開いた際に遊技球が入球し易くすることを可能とするものでありながら、遊技球の流下軌道に影響を与えることを防ぐことができ、無駄に遊技球を消費することの防止を図ることができる。
【００８８】
また、第１始動口１３ａ及び第２始動口１４ａを図柄表示装置１２の下方側に配置し、開閉部材３３１を図柄表示装置１２の上方側に配置したので、例えば開閉部材３３１が開いた際に第２大入賞口３２２に入球しない遊技球の流下軌道を阻害すると、該遊技球の流下軌道に与える影響が大きいが、開閉部材３３１が開いた際に第２大入賞口３２２に入球しない遊技球の流下軌道を阻害しないため、遊技球の流下軌道に影響を与えることを防ぐことができ、無駄に遊技球を消費することの防止を図ることができる。
【００８９】
更に、開閉部材３３１は、遊技球が第２大入賞口３２２を通過する方向に向けて回動駆動することで開閉動作するので、開閉部材３３１が開いた際に第２大入賞口３２２に入球しない遊技球の流下軌道を阻害しないようにすることができる。
【００９０】
なお、以上説明した第１及び第２の実施の形態において、開閉部材がスライド駆動するもの、或いは第２大入賞口を遊技球が通過する方向に回動駆動するものを例に説明したが、開閉部材が第２大入賞口に入球しない遊技球の流下軌道を阻害しないものであれば、どのような構成であっても構わない。
【００９１】
また、以上説明した第１及び第２の実施の形態において、遊技球が振り分け装置の特別入賞口を通過したときに、開閉装置（開閉部材）により第２大入賞口を（普通電動役物に入賞したときよりも長い）所定時間だけ、若しくは連続的に開放するようにしてもよく、更に、第２の抽選の結果が当選であることに基づいて、遊技者に有利な状態に移行するものであれば、どのようなものであってもよい。
【００９２】
また、第１及び第２の実施の形態において、振り分け装置は、回転駆動する回転体を有して遊技球が到達するタイミングによって第２の抽選を行うものであったが、これに限らず、特別入賞口が揺動するものや羽根部材等で遊技球の流下位置を振り分けるもの等、種々の態様が考えられる。
【００９３】
また、第１及び第２の実施の形態においては、第２の抽選が機械的な抽選だけを行うものであったが、例えばラウンド数を抽選する等、機械的な抽選にソフトウェアを利用した抽選を組み合わせて行うようにしてもよい。
【００９４】
また、第１及び第２の実施の形態においては、いわゆる第１種および第２種パチンコ遊技機を組み合わせた構成を用いて説明しているが、これに限られるものではなく、例えば、第２種及び第３種パチンコ遊技機を組み合わせた構成を用いてもよく、或いは、第１種、第２種、及び第３種パチンコ遊技機を組み合わせた構成を用いてもよい。
【００９５】
更に、第１及び第２の実施の形態においては、普通電動役物１４に遊技球が入賞（開放始動口１４ａを通過）すると、開閉装置１３０（３３０）の作動により開閉部材１３１（３３１）が開放されて第２大入賞口１２２（３２２）が所定時間だけ開放状態となるように構成されているが、これに限られるものではなく、例えば、遊技球の入賞に関係なく所定時間毎に、第２大入賞口１２２（３２２）を開閉させるようにしてもよい。
【００９６】
また、第１及び第２の実施の形態においては、普通図柄作動ゲート１５に遊技球が入球し、第３抽選手段２１４（第３の抽選）に当選した際に開放される普通電動役物１４に遊技球が入賞すると、第２大入賞口１２２（３２２）が所定時間だけ開放状態となるように構成されているが、これに限らず、例えば所定のゲートないし入賞口に入球した際に第２大入賞口１２２（３２２）が所定時間だけ開放状態となるように構成してもよい。
【００９７】
更に、第１及び第２の実施の形態においては、センター役物１００の上方側に、第２大入賞口１２２（３２２）が設けられているが、これに限られるものではなく、例えば、センター役物１００の左右周部に設けられてもよい。この際は、第２大入賞口１２２（３２２）の位置に合わせて通路ないし振り分け装置の配置が変更されることが好ましい。
【図面の簡単な説明】
【００９８】
【図１】本発明に係る抽選装置を備えた弾球遊技機の一例として示すパチンコ機の正面図である。
【図２】パチンコ機の裏面側を示す背面図である。
【図３】パチンコ機の遊技制御装置の概要を示すブロック図である。
【図４】第１の実施の形態に係るセンター役物の正面図である。
【図５】第１の実施の形態に係る開閉装置の開閉動作を示す説明図で、（ａ）は閉じた状態を示す図、（ｂ）は開いた状態を示す図である。
【図６】第２の実施の形態に係るセンター役物の正面図である。
【図７】第２の実施の形態に係る開閉装置の開閉動作を示す説明図で、（ａ）は閉じた状態を示す図、（ｂ）は開いた状態を示す図である。
【符号の説明】
【００９９】
１２    表示装置（図柄表示装置）
１３ａ    第１始動口（通過始動口）
１４ａ    第２始動口（開放始動口）
１６ａ    第１大入賞口
１２２    第２大入賞口
１３０    開閉装置
１３１    開閉部材
１３１ａ    外壁
１５０    振り分け装置
１５３    通常入賞位置（普通入賞口）
１５６    特別入賞位置（特別入賞口）
２１２    抽選手段（第１抽選手段）
３２２    第２大入賞口
３３０    開閉装置
３３１    開閉部材
３５０    振り分け装置
３５３    通常入賞位置（普通入賞口）
３５６    特別入賞位置（特別入賞口）
ＰＡ    遊技領域
ＰＭ    弾球遊技機（パチンコ遊技機、パチンコ機）
【図１】
2006296592.tif 000003
【図２】
2006296592.tif 000004
【図３】
2006296592.tif 000005
【図４】
2006296592.tif 000006
【図５】
2006296592.tif 000007
【図６】
2006296592.tif 000008
【図７】
2006296592.tif 000009